(57)【要約】 【課題】  本発明は、ダイバーシティ受信処理を実行する機能を備えていても消費電力を低減することができるとともに、複数の受信部からの信号を適切に出力することができる。【解決手段】    ダイバーシティ処理部４００は、第１受信部２００及び第２受信部３００を動作させて第１受信部２００及び第２受信部３００により受信された信号を合成して出力するダイバーシティ受信処理、又は該第１受信部２００及び第２受信部３００のうちのいずれか１つの受信部のみを動作させて該受信部により受信された信号を選択して出力するシングル受信処理のいずれかを実行する。動作制御部６００は、ダイバーシティ受信処理又はシングル受信処理のうちのいずれか一方の処理のみをダイバーシティ処理部４００に実行させる。【選択図】      図１
2006270219.tif 000002
【特許請求の範囲】
【請求項１】
複数の受信部を動作させて該複数の受信部により受信された信号を合成して出力するダイバーシティ受信処理、又は該複数の受信部のうちのいずれか１つの受信部のみを動作させて該受信部により受信された信号を選択して出力するシングル受信処理のいずれかを実行する処理実行部と、
前記処理実行部により出力された信号の品質の劣化の度合を示す品質値を所定期間毎に算出する品質値算出部と、
前記品質値算出部により算出された前記品質値に基づいて、前記ダイバーシティ受信処理又は前記シングル受信処理のうちのいずれか一方の処理のみを前記処理実行部に実行させる処理実行制御部と
を備えることを特徴とする信号受信装置。
【請求項２】
前記品質値算出部は、前記品質値が時間的に連続して閾値を超えていないことを前記所定期間毎に計数し、
前記処理実行制御部は、前記品質算出部により計数された値が閾値以上である場合には前記シングル受信処理のみを前記処理実行部に実行させ、前記品質算出部により計数された値が前記閾値以上でない場合には前記ダイバーシティ受信処理のみを前記処理実行部に実行させることを特徴とする請求項１に記載の信号受信装置。
【請求項３】
前記品質値算出部により算出された前記品質値が閾値を超えている場合には、前記ダイバーシティ受信処理のみの実行を推奨する第１情報を選択可能に表示し、前記品質値算出部により算出された前記品質値が前記閾値を超えていない場合には、前記シングル受信処理のみの実行を推奨する第２情報を選択可能に表示する表示部を備えており、
前記処理実行制御部は、前記表示部により表示された前記第１情報が選択された場合には、前記ダイバーシティ受信処理のみを前記処理実行部に実行させ、前記表示部により表示された前記第２情報が選択された場合には、前記シングル受信処理のみを前記処理実行部に実行させることを特徴とする請求項１に記載の信号受信装置。
【請求項４】
前記品質値算出部により算出された前記品質値が閾値を超えている場合には、前記複数の受信部により受信された信号の品質が劣化していることを示す第１情報を選択可能に表示し、前記品質値算出部により算出された前記品質値が前記閾値を超えていない場合には、前記複数の受信部のいずれかの受信部により受信された信号の品質が劣化していないことを示す第２情報を選択可能に表示する表示部を備えており、
前記処理実行制御部は、前記表示部により表示された前記第１情報が選択された場合には、前記ダイバーシティ受信処理のみを前記処理実行部に実行させ、前記表示部により表示された前記第２情報が選択された場合には、前記シングル受信処理のみを前記処理実行部に実行させることを特徴とする請求項１に記載の信号受信装置。
【請求項５】
前記品質値算出部は、前記処理実行部により出力された信号の誤り率を前記品質値として算出することを特徴とする請求項１又は請求項２のいずれかに記載の信号受信装置。  
【請求項６】
複数の受信部を動作させて該複数の受信部により受信された信号を合成して出力するダイバーシティ受信処理、又は該複数の受信部のうちのいずれか１つの受信部のみを動作させて該受信部により受信された信号を選択して出力するシングル受信処理のいずれかを実行する処理実行部を備え、
前記複数の受信部は、受信された信号の品質の劣化の度合を示す品質値を所定期間毎に算出する品質値算出部をそれぞれ備えており、
前記各品質値算出部により算出された前記品質値に基づいて、前記ダイバーシティ受信処理又は前記シングル受信処理のうちのいずれか一方の処理のみを前記処理実行部に実行させる処理実行制御部と
を備えることを特徴とする信号受信装置。
【請求項７】
前記処理実行制御部は、前記各品質値算出部により算出された全ての前記品質値が閾値を超えている場合には前記ダイバーシティ受信処理のみを前記処理実行部に実行させ、前記各品質値算出部により算出されたいずれかの前記品質値が前記閾値を超えていない場合には該品質値を算出した前記受信部により受信された信号を選択して出力する前記シングル受信処理のみを前記処理実行部に実行させることを特徴とする請求項６に記載の信号受信装置。
【請求項８】
前記各品質値算出部により算出された全ての前記品質値が閾値を超えている場合には、前記ダイバーシティ受信処理のみの実行を推奨する第１情報を選択可能に表示し、前記各品質値算出部により算出されたいずれかの前記品質値が前記閾値を超えていない場合には、前記シングル受信処理のみの実行を推奨する第２情報を選択可能に表示する表示部を備えており、
前記処理実行制御部は、前記表示部により表示された前記第１情報が選択された場合には、前記ダイバーシティ受信処理のみを前記処理実行部に実行させ、前記表示部により表示された前記第２情報が選択された場合には、前記シングル受信処理のみを前記処理実行部に実行させることを特徴とする請求項６に記載の信号受信装置。
【請求項９】
前記各品質値算出部により算出された全ての前記品質値が閾値を超えている場合には、前記複数の受信部により受信された信号の品質が劣化していることを示す第１情報を選択可能に表示し、前記各品質値算出部により算出されたいずれかの前記品質値が前記閾値を超えていない場合には、前記複数の受信部のいずれかの受信部により受信された信号の品質が劣化していないことを示す第２情報を選択可能に表示する表示部を備えており、
前記処理実行制御部は、前記表示部により表示された前記第１情報が選択された場合には、前記ダイバーシティ受信処理のみを前記処理実行部に実行させ、前記表示部により表示された前記第２情報が選択された場合には、前記シングル受信処理のみを前記処理実行部に実行させることを特徴とする請求項６に記載の信号受信装置。
【請求項１０】
前記品質算出部は、前記受信部により受信された信号の電力値を特定の電力値に近づけるための制御量を前記品質値として前記所定期間毎に算出することを特徴とする請求項６又は請求項７のいずれかに記載の信号受信装置。
【請求項１１】
前記品質算出部は、多値変調方式に従う複素平面における全ての基準点を囲む領域の外延から所定距離以上の隔てられた箇所で特定された前記所定期間における受信信号の信号点の数を前記品質値として算出することを特徴とする請求項６又は請求項７のいずれかに記載の信号受信装置。
【請求項１２】
前記所定距離は、前記複素平面における隣接する前記基準点間の半分の距離であることを特徴とする請求項１１に記載の信号受信装置。
【請求項１３】
前記複数の受信部のうちの少なくとも１つの受信部は、着脱可能なアンテナを備えており、
前記シングル受信処理は、前記アンテナが着脱可能な受信部以外の少なくとも１つの受信部のみを動作させて該受信部により受信された信号を選択して出力する処理であることを特徴とする請求項１又は請求項６のいずれかに記載の信号受信装置。
【請求項１４】
前記アンテナは、前記信号受信装置の利用者の耳に装着可能に構成されるとともに、音が出力可能に構成されていることを特徴とする請求項１３に記載の信号受信装置。
【発明の詳細な説明】
【技術分野】
【０００１】
本発明は、所定の変調方式を用いて無線送信された信号を受信して復調する信号受信装置に関する。
【背景技術】
【０００２】
従来から、複数の受信部を備えるダイバーシティ受信装置が提供されている（例えば、特許文献１）。ダイバーシティ受信装置は、複数の受信部により受信された信号を合成して出力している（いわゆるダイバーシティ受信処理）。
【特許文献１】特開２００３−２８３４５９号公報
【発明の開示】
【発明が解決しようとする課題】
【０００３】
しかしながら、上記ダイバーシティ受信装置では、少なくとも２以上の受信部が動作して上記ダイバーシティ受信処理が実行されるため、単一の受信部しか備えていない受信装置よりも多くの電力が消費される。しかも、上記ダイバーシティ受信装置では、受信部により受信された信号の劣化の度合を示す品質値が、いずれかの受信部において低い場合（信号の劣化の度合が低い場合）でも、各受信部における品質値とは関係なく、全ての受信部が動作されて上記ダイバーシティ受信処理が常に実行されるため、単一の受信部しか備えていない受信部よりも無駄に電力が消費されることがあった。
【０００４】
また、利用者の耳に装着可能に構成され、携帯電話等の端末で生成された音を出力する機能に加えて、信号を送受信するためのアンテナとしての機能を備えるイヤホン型アンテナが提供されている。端末が、該イヤホン型アンテナと接続される受信部と、イヤホン型アンテナ以外のアンテナと接続される受信部とを備えている場合には、当該端末は、上記ダイバーシティ受信処理を実行することにより各受信部から出力された信号を合成して出力することができる。
【０００５】
ところが、上記イヤホン型アンテナが接続されていない場合でも、該イヤホン型アンテナと接続可能な受信部が常に動作しているため、該受信部が動作している分、無駄な電力が消費されていた。
【０００６】
また、上記イヤホン型アンテナが接続されていない場合には、該イヤホン型アンテナと接続可能な受信部には正確に受信されていない信号が混入することがあるため、ダイバーシティ受信処理が実行されても、適切な信号が出力されないことがあった。
【０００７】
そこで、本発明は以上の点に鑑みて成されたものであり、ダイバーシティ受信処理を実行する機能を備えていても消費電力を低減することができるとともに、複数の受信部からの信号を適切に出力することができる信号受信装置を提供することを目的とする。
【課題を解決するための手段】
【０００８】
本発明は、上記課題を解決するために、複数の受信部を動作させて複数の受信部により受信された信号を合成して出力するダイバーシティ受信処理、又は複数の受信部のうちのいずれか１つの受信部のみを動作させて受信部により受信された信号を選択して出力するシングル受信処理のいずれかを実行する処理実行部と、処理実行部により出力された信号の品質の劣化の度合を示す品質値を所定期間毎に算出する品質値算出部と、品質値算出部により算出された品質値に基づいて、ダイバーシティ受信処理又はシングル受信処理のうちのいずれか一方の処理のみを処理実行部に実行させる処理実行制御部とを備えることを特徴とする。
【０００９】
かかる本発明の特徴によれば、処理実行部により出力された信号の品質の劣化の度合を示す品質値に基づいて、複数の受信部の全てを用いたダイバーシティ受信処理を実行させずに、いずれか１つの受信部のみを用いたシングル受信処理を実行させることができる。
【００１０】
このため、ダイバーシティ受信処理が実行されている場合には、複数の受信部の全てが動作しているものの、ダイバーシティ受信処理が実行されずにシングル受信処理が実行されている場合には、いずれか１つの受信部のみが動作し、それ以外の受信部が動作していないこととなる。
【００１１】
したがって、シングル受信処理が実行されている間は、ダイバーシティ受信処理が実行されている場合よりも、信号受信装置全体の消費電力を低く抑えることができる。また、シングル受信処理又はダイバーシティ受信処理のいずれか一方の処理を品質値に基づいて実行することにより、両処理のうちのいずれか一方の処理を任意に選択するよりも受信状態が良好な受信部からの信号を適切に出力することができる。
【００１２】
上記発明においては、品質値算出部は、品質値が時間的に連続して閾値を超えていないことを所定期間毎に計数し、処理実行制御部は、品質算出部により計数された値が閾値以上である場合にはシングル受信処理のみを処理実行部に実行させ、品質算出部により計数された値が閾値以上でない場合にはダイバーシティ受信処理のみを処理実行部に実行させてもよい。
【００１３】
上記発明においては、品質値算出部により算出された品質値が閾値を超えている場合には第１情報を選択可能に表示し、品質値算出部により算出された品質値が閾値を超えていない場合には第２情報を選択可能に表示する表示部を備えており、処理実行制御部は、表示部により表示された第１情報が選択された場合には、ダイバーシティ受信処理のみを処理実行部に実行させ、表示部により表示された第２情報が選択された場合には、シングル受信処理のみを処理実行部に実行させてもよい。
【００１４】
上記発明においては、第１情報は、ダイバーシティ受信処理のみの実行を推奨することに関する情報又は複数の受信部により受信された信号の品質が劣化していることに関する情報であり、第２情報は、シングル受信処理のみの実行を推奨することに関する情報又は複数の受信部のいずれかの受信部により受信された信号の品質が劣化していないことに関する情報であってもよい。
【００１５】
上記発明においては、品質値算出部は、処理実行部により出力された信号の誤り率を品質値として算出してもよい。
【００１６】
本発明は、複数の受信部を動作させて複数の受信部により受信された信号を合成して出力するダイバーシティ受信処理、又は複数の受信部のうちのいずれか１つの受信部のみを動作させて受信部により受信された信号を選択して出力するシングル受信処理のいずれかを実行する処理実行部を備え、複数の受信部は、受信された信号の品質の劣化の度合を示す品質値を所定期間毎に算出する品質値算出部をそれぞれ備えており、各品質値算出部により算出された品質値に基づいて、ダイバーシティ受信処理又はシングル受信処理のうちのいずれか一方の処理のみを処理実行部に実行させる処理実行制御部とを備えることを特徴とする。
【００１７】
上記発明においては、処理実行制御部は、各品質値算出部により算出された全ての品質値が閾値を超えている場合にはダイバーシティ受信処理のみを処理実行部に実行させ、各品質値算出部により算出されたいずれかの品質値が閾値を超えていない場合には該品質値を算出した受信部により受信された信号を選択して出力するシングル受信処理のみを処理実行部に実行させてもよい。
【００１８】
上記発明においては、各品質値算出部により算出された全ての品質値が閾値を超えている場合には第１情報を選択可能に表示し、各品質値算出部により算出されたいずれかの品質値が閾値を超えていない場合には第２情報を選択可能に表示する表示部を備えており、処理実行制御部は、表示部により表示された第１情報が選択された場合には、ダイバーシティ受信処理のみを処理実行部に実行させ、表示部により表示された第２情報が選択された場合には、シングル受信処理のみを処理実行部に実行させてもよい。
【００１９】
上記発明においては、第１情報は、ダイバーシティ受信処理のみの実行を推奨することに関する情報又は複数の受信部により受信された信号の品質が劣化していることに関する情報であり、第２情報は、シングル受信処理のみの実行を推奨することに関する情報又は複数の受信部のいずれかの受信部により受信された信号の品質が劣化していないことに関する情報であってもよい。
【００２０】
上記発明においては、品質算出部は、受信部により受信された信号の電力値を特定の電力値に近づけるための制御量を品質値として所定期間毎に算出してもよい。
【００２１】
上記発明においては、品質算出部は、多値変調方式に従う複素平面における全ての基準点を囲む領域の外延から所定距離以上の隔てられた箇所で特定された所定期間における受信信号の信号点の数を品質値として算出してもよい。
【００２２】
上記発明においては、所定距離は、複素平面における隣接する基準点間の半分の距離であってもよい。
【００２３】
上記発明においては、複数の受信部のうちの少なくとも１つの受信部は、着脱可能なアンテナを備えており、シングル受信処理は、アンテナが着脱可能な受信部以外の少なくとも１つの受信部のみを動作させて該受信部により受信された信号を選択して出力する処理であってもよい。
【００２４】
本発明は、複数の受信部のうちの少なくとも１つの受信部は、着脱可能なアンテナを備えており、複数の受信部を動作させて複数の受信部により受信された信号を合成して出力するダイバーシティ受信処理、又はアンテナが着脱可能な受信部以外の少なくとも１つの受信部のみを動作させて受信部により受信された信号を選択して出力するシングル受信処理のいずれかを実行する処理実行部と、アンテナが接続されている場合にはダイバーシティ受信処理のみを処理実行部に実行させ、アンテナが接続されていない場合にはシングル受信処理のみを処理実行部に実行させる処理実行制御部とを備えることを特徴とする。
【００２５】
上記発明においては、アンテナは、信号受信装置の利用者の耳に装着可能に構成されるとともに、音が出力可能に構成されてもよい。
【発明の効果】
【００２６】
本発明によれば、ダイバーシティ受信処理を実行する機能を備えていても消費電力を低減することができるとともに、複数の受信部からの信号を適切に出力することができる。
【発明を実施するための最良の形態】
【００２７】
［第１実施形態］
（ダイバーシティ受信装置の構成）
本実施形態におけるダイバーシティ受信装置（信号受信装置）について図面を参照しながら説明する。図１は、本実施形態におけるダイバーシティ受信装置１００を示す図である。図１に示すように、ダイバーシティ受信装置１００は、第１受信部２００と、第２受信部３００と、ダイバーシティ処理部４００と、動作指示部５００と、動作制御部６００とを備えている。
【００２８】
図２は、第１受信部２００及び第２受信部３００の内部構造を示す図である。なお、第２受信部３００における各部は第１受信部２００における各部と同様の機能を有するため、ここでの詳細な説明は省略する。
【００２９】
図２に示すように、第１受信部２００は、アンテナ２０１と、チューナ２０３と、ＡＧＣ部２０５と、Ａ／Ｄ変換部２０７と、同期部２０９と、ＦＦＴ部２１１と、復調部２１３と、基準点特定部２１５と、ずれ検出部２１７と、ずれ異常数算出部２１９と、制御量算出部２２１とを備えている。
【００３０】
アンテナ２０１は、送信部（図示せず）から送信された信号を受信する。チューナ２０３は、アンテナ２０１により受信された信号によりベースバンド信号を出力する。ＡＧＣ部２０５は、制御量算出部２１３により算出された制御量に基づいて、チューナ２０３により出力された信号の電力値を増減させて、特定の電力値に近づける。
【００３１】
同期部２０９は、Ａ／Ｄ変換部２０７により出力された信号を同期させ、ヒルベルト変換等を用いて同期させた信号をＩ軸成分の信号とＱ軸成分の信号とに分ける。ＦＦＴ部２１１は、高速フーリエ変換を実行することにより、同期部２０９により出力された時間軸に沿う信号を周波数軸に沿う信号に変換する。
【００３２】
復調部２１３は、ＦＦＴ部２１１により出力された信号を、多値変調方式を用いて復調する。具体的には、復調部２１３は、多値変調方式に従うＩ軸成分及びＱ軸成分からなる平面である複素平面（以下では、複素平面と称する）において、ＦＦＴ部２１１により出力された信号に対応する信号点を特定する。
【００３３】
基準点特定部２１５は、復調部２１３により出力された信号に含まれているパイロット信号の平均値を算出し、これに所定の係数を乗算することにより、複素平面上での基準点を算出する。また、基準点特定部２１５は、複素平面における受信信号の信号点に最も近い基準点を特定する。
【００３４】
図３は、複素平面上での各基準点と受信信号の信号点とを示す図である。図３に示すように、例えば、受信信号の信号点Ｐ１は基準点ａに最も近い。このため、基準点特定部２１５は信号点Ｐ１に最も近い基準点ａを特定する。
【００３５】
ずれ検出部２１７は、基準点特定部２１５により特定された基準点に対する受信信号の信号点のずれの方向と大きさとを検出する。図３に示すように、例えば、ずれ検出部２１７は、基準点特定部２１５により特定された基準点ａに対する受信信号の信号点のずれの方向と大きさとして、Ｉ軸成分に沿う正方向のＤＩ，Ｑ軸成分に沿う正方向のＤＱを検出する。
【００３６】
また、ずれ検出部２１７は、多値変調方式に従う複素平面における受信信号の信号点と基準点との間の距離を示す二点間距離を算出する。
【００３７】
ずれ異常数算出部２１９は、複素平面における全ての基準点を囲む領域（領域Ｒ１）の外延から所定距離以上の隔てられた箇所（領域Ｒ２を超える箇所）で特定された所定期間における受信信号の信号点の数を品質値として算出する。本実施形態では上記所定距離は、複素平面における隣接する基準点間の半分の距離であるとする。
【００３８】
図４は、本実施形態における１６ＱＡＭの複素平面を示す図である。図４に示すように、ずれ異常数算出部２１９は、領域Ｒ１，Ｒ２を複素平面に設定する。この領域Ｒ１，Ｒ２は、複素平面における全ての基準点を囲む領域である。
【００３９】
本実施形態では、いずれか一方向に隣接する基準点が存在しない特定の基準点（例えば、“１１００”，“１１０１”，“１００１”，“１０００”の点など）が複数特定される。特定された各基準点の外延Ｗ１，ｗ２を囲む領域が上記Ｒ１，Ｒ２となる。
【００４０】
また、領域Ｒ２は、隣接する基準点間（例えば、基準点（１１００）と基準点（１１１０）との間）の半分の距離Ｌ１（所定距離）を領域Ｒ１の外延Ｗ１から隔てながら領域Ｒ１を囲む領域である。
【００４１】
上記ずれ異常数算出部２１９は、領域Ｒ２の外（図４に示す斜線部分）で特定された所定期間内における受信信号の信号点の数（いわゆる異常数）を品質値として算出する。
【００４２】
ここで、複素平面における領域Ｒ２の外で特定された受信信号の信号点が多く存在する場合には、その領域Ｒ２の内では受信信号の信号点が誤基準点に近づく可能性が高くなる。このため、ダイバーシティ処理部４００が誤基準点を特定した受信部により出力された信号を選択することがある。
【００４３】
言い換えると、図５に示すように、基準点ａに関係する受信信号の信号点が点在している領域Ｋがある場合に、その領域Ｋが領域Ｒ２と重なる程大きくなると、領域Ｋの中では受信信号の信号点（例えば、Ｐ５０，Ｐ６０）が本来の基準点ａよりも誤基準点ｃなどに近くなる可能性が高くなる。
【００４４】
このため、各受信部からの受信信号の信号点がＰ５０，Ｐ６０である場合には、本来の基準点ａが特定されずに、誤基準点ｃが特定されることとなる。従って、ダイバーシティ処理部４００は、誤基準点ｃに対応する信号を誤って出力してしまう。
【００４５】
そこで、ずれ異常数算出部２１９は、複素平面における全ての基準点を囲む領域Ｒ１の外延から所定距離以上の隔てられた箇所（領域Ｒ２を越える箇所）で、所定期間内において特定された受信信号の信号点が存在する場合には、当該所定期間内における受信信号の信号点の数を品質値として算出する。すなわち、この品質値が大きくなる程、受信部により受信された信号の品質が劣化していることとなる。
【００４６】
そして、後述する動作制御部６００が、各受信部における品質値の大きさに応じて、後述するダイバーシティ受信処理又はシングル受信処理のいずれかのみを実行させることにより、ダイバーシティ受信装置１００は、各受信部のうち、最も良い受信状態にある受信部からの信号を選択して出力することができる。
【００４７】
また、複素平面における全ての基準点を囲む領域Ｒ１の外延から領域Ｒ２までの所定距離が、隣接する基準点間の半分の距離Ｌ１である。この所定距離Ｌ１以上の隔てられた領域Ｒ２を越える箇所で特定された受信信号の信号点の数が多くなるということは、上記領域１内では誤基準点により近い受信信号の信号点が増える可能性が高くなる。
【００４８】
したがって、上記領域Ｒ２を超える箇所で特定された受信信号の信号点の数が品質値としてより適切に算出されることにより、後述する動作制御部６００は、各受信部における品質値に基づいて、ダイバーシティ受信処理又はシングル受信処理のいずれかを適切に実行させることができる。
【００４９】
制御量算出部２２１は、復調部２１３により復調された信号の品質の劣化の度合を示す品質値を所定期間毎に算出する。本実施形態における制御量算出部２２１は、復調部２１３により復調された信号の電力値を特定の電力値に近づけるための制御量を品質値として生成する。なお、本実施形態では制御量は、Ｃ／Ｎ値に関係する値（例えば、Ｃ／Ｎ値に比例又は反比例する値など）とする。
【００５０】
この場合には、上記制御量は既存の回路により生成されるため、当該制御量を算出するための回路を新たに設けられる必要が無くなる。これにより、ダイバーシティ受信装置１００が拡大されなくても、上記制御量に基づいても適切にダイバーシティ受信処理又はシングル受信処理のうちのいずれか一方の処理を実行させることができる。
【００５１】
なお、ずれ異常数算出部２１９、及び制御量算出部２２１は、品質算出部を構成している。なお、第１受信部２００及び第２受信部３００のそれぞれは、受信信号の誤り率を品質値としてもよい。また、品質値は、所定期間における品質値の平均であってもよい。
【００５２】
動作指示部５００は、各受信部により算出された品質値に基づいて、ダイバーシティ受信処理又はシングル受信処理のうちのいずれか一方の処理のみを実行するように指示する信号を動作制御部６００に出力する。
【００５３】
なお、処理実行部は、ダイバーシティ処理部４００を構成している。また、処理実行制御部は、動作指示部５００、動作制御部６００を構成している。
【００５４】
具体的には、動作指示部５００は、第１受信部２００の品質算出部（ずれ異常数算出部２１９又は制御量算出部２２１）により算出された品質値、及び第２受信部３００における品質算出部（ずれ異常数算出部２１９又は制御量算出部２２１）により算出された品質値の双方が閾値を超えている場合には、ダイバーシティ受信処理のみを実行するように指示する信号を動作制御部６００に出力する。
【００５５】
一方、動作指示部５００は、第１受信部２００の品質算出部（ずれ異常数算出部２１９又は制御量算出部２２１）により算出された品質値、及び第２受信部３００における品質算出部（ずれ異常数算出部２１９又は制御量算出部２２１）により算出された品質値のいずれかが閾値を超えていない場合には、シングル受信処理のみを実行するように指示する信号を動作制御部６００に出力する。
【００５６】
ここで、ダイバーシティ受信処理とは、第１受信部２００及び第２受信部３００を動作させて第１受信部２００及び第２受信部３００により受信された信号を合成して出力する処理である。
【００５７】
すなわち、ダイバーシティ受信処理は、第１受信部２００及び第２受信部３００を動作させて、第１受信部２００及び第２受信部３００により出力された各受信信号の信号点に最も近い基準点が一致している場合には、該基準点に対応する信号を出力する処理を含む。
【００５８】
また、ダイバーシティ受信処理は、第１受信部２００及び第２受信部３００を動作させて、第１受信部２００及び第２受信部３００により出力された各受信信号のうち、最も基準点に近い信号点を持つ受信信号を選択し、選択した受信信号を出力する処理を含む。
【００５９】
本実施形態では、ダイバーシティ受信処理が実行されると、第１受信部２００、第２受信部３００及びダイバーシティ処理部４００の全てが動作する。
【００６０】
上記シングル受信処理は、第１受信部２００又は第２受信部３００のうちのいずれか１つの受信部のみを動作させて該受信部により受信された信号を選択して出力する処理である。
【００６１】
本実施形態では、シングル受信処理が実行されると、第１受信部２００又は第２受信部３００のうちのいずれかの受信部、及びダイバーシティ処理部４００が動作する。
【００６２】
ダイバーシティ処理部４００は、動作制御部６００からの指示に応じて、ダイバーシティ受信処理の一部を実行する。
【００６３】
具体的には、ダイバーシティ処理部４００は、動作制御部６００からの指示に応じて、第１受信部２００及び第２受信部３００により出力された各受信信号の信号点に最も近い基準点が一致している場合には、該基準点に対応する信号を出力する。又は、ダイバーシティ処理部４００は、動作制御部６００からの指示に応じて、第１受信部２００及び第２受信部３００により出力された各受信信号のうち、最も基準点に近い信号点を持つ受信信号を選択し、選択した受信信号を出力する。
【００６４】
また、ダイバーシティ処理部４００は、動作制御部６００からの指示に応じて、シングル受信処理の一部を実行する。具体的には、ダイバーシティ処理部４００は、動作制御部６００からの指示に応じて、第１受信部２００又は第２受信部３００のうちのいずれか１つの受信部のみを動作させて該受信部により受信された信号を選択して出力する。この場合には、動作されている受信部以外の受信部の動作は停止していることとなる。
【００６５】
（ダイバーシティ受信装置の動作）
次に、ダイバーシティ受信装置１００の動作１について説明する。図６は、ダイバーシティ受信装置１００の動作１を示す図である。
【００６６】
図６に示すように、Ｓ１０１において、ダイバーシティ受信装置１００は、第１受信部２００及び第２受信部３００により受信された信号の劣化の度合を示す品質値を算出する。なお、ダイバーシティ受信装置１００は、上述の通り、ずれ異常数算出部２１９，３１９又は制御量算出部２２１，３２１に当該品質値を算出させる。
【００６７】
Ｓ１０３において、ダイバーシティ受信装置１００は、第１受信部２００の品質値が閾値を超えているか否か判定する。また、ダイバーシティ受信装置１００は、この判定がＹＥＳである場合にはＳ１０５の処理に移り、ＮＯである場合にはＳ１０９の処理に移る。  Ｓ１０５において、ダイバーシティ受信装置１００は、第２受信部３００の品質値が閾値を超えているか否か判定する。また、ダイバーシティ受信装置１００は、この判定がＹＥＳである場合にはＳ１０７の処理に移り、ＮＯである場合にはＳ１１５の処理に移る。
【００６８】
Ｓ１０７において、ダイバーシティ受信装置１００は、第１受信部２００及び第２受信部３００を用いてダイバーシティ受信処理を実行する。
【００６９】
Ｓ１０９において、ダイバーシティ受信装置１００は、第２受信部３００の品質値が閾値を超えているか否か判定する。また、ダイバーシティ受信装置１００は、この判定がＹＥＳである場合にはＳ１１１の処理に移り、ＮＯである場合にはＳ１１３の処理に移る。
【００７０】
Ｓ１１１において、ダイバーシティ受信装置１００は、第１受信部２００を用いてシングル受信処理を実行する。
【００７１】
Ｓ１１３において、ダイバーシティ受信装置１００は、第１受信部２００の品質値が第２受信部３００の品質値よりも高いか否か判定する。また、ダイバーシティ受信装置１００は、この判定がＹＥＳである場合にはＳ１１５の処理に移り、ＮＯである場合にはＳ１１１の処理に移る。
【００７２】
Ｓ１１５において、ダイバーシティ受信装置１００は、第２受信部３００を用いてシングル受信処理を実行する。
【００７３】
（作用及び効果）
本実施形態の特徴によれば、第１受信部２００及び第２受信部３００の全てを用いたダイバーシティ受信処理を常に実行させずに、品質値に応じていずれか１つの受信部のみを用いたシングル受信処理を実行させることができる。
【００７４】
このため、ダイバーシティ受信処理が実行されている場合には、第１受信部２００及び第２受信部３００の全てが動作しているものの、シングル受信処理が実行されている場合には、いずれか１つの受信部のみが動作し、それ以外の受信部が動作していないこととなる。
【００７５】
したがって、シングル受信処理が実行されている間は、ダイバーシティ受信処理が実行されている場合よりも、ダイバーシティ受信装置１００全体の消費電力を低く抑えることができる。
【００７６】
また、シングル受信処理又はダイバーシティ受信処理のいずれか一方の処理を、第１受信部２００及び第２受信部３００により算出された品質値に基づいて実行する。これにより、両処理のうちのいずれか一方の処理を任意に選択するよりも受信状態が良好な受信部からの信号を適切に出力することができる。
【００７７】
さらに、第１受信部２００又は第２受信部３００におけるいずれかの品質値が閾値を超えていない場合、すなわち、いずれか一方の受信部の品質値が継続して良好に保持されている場合には、当該一方の受信部が良好な受信状態であることとなる。
【００７８】
この場合には、第１受信部２００及び第２受信部３００を用いたダイバーシティ受信処理を敢えて実行させずに、品質値が良好に保持されているいずれか一方の受信部を用いたシングル受信処理のみを実行させることにより、当該一方の受信部からの適切な信号を出力することができる。
【００７９】
［第２実施形態］
（ダイバーシティ受信装置の構成）
本実施形態におけるダイバーシティ受信装置について図面を参照しながら説明する。図７は、本実施形態におけるダイバーシティ受信装置１００を示す図である。図７に示すように、ダイバーシティ受信装置１００は、第１実施形態の構成に加えて品質算出部７００を備えている。なお、品質算出部７００以外の構成については第１実施形態と同様であるため、詳細な説明は省略する。
【００８０】
ここで、第１実施形態では、ダイバーシティ受信装置１００は、第１受信部２００により受信された信号の品質値と第２受信部３００により受信された信号の品質値とを比較し、各品質値が閾値を超えている場合にはダイバーシティ受信処理を実行し、各品質値が閾値を超えていない場合にはシングル受信処理を実行している。
【００８１】
これに対し、第２実施形態では、ダイバーシティ受信装置１００は、ダイバーシティ処理部４００により出力された信号の品質値を用いて、該品質値が閾値を超えている場合にはダイバーシティ受信処理を実行し、品質値が閾値を超えていない場合にはシングル受信処理を実行している。以下、第２実施形態について詳細に説明する。
【００８２】
品質算出部７００は、ダイバーシティ処理部４００により出力された信号の劣化の度合を示す品質値を所定期間毎に算出する。この品質値には、ダイバーシティ処理部４００により出力された信号の誤り率などが含まれている。
【００８３】
動作指示部５００は、品質算出部７００により算出された品質値に基づいて、ダーバーシティ受信処理又はシングル受信処理のうちのいずれか一方の処理のみを実行するように指示する信号を動作制御部６００に出力する。
【００８４】
具体的には、動作指示部５００は、品質算出部７００により算出された品質値が時間的に連続して閾値を超えていないことを所定期間毎に計数する。動作指示部５００は、計数した値が閾値以上である場合、すなわち各受信部により受信された信号の品質が劣化していない場合にはシングル受信処理のみを実行するように指示する信号を動作制御部６００に出力する。
【００８５】
一方、動作指示部５００は、計数した値が閾値以上でない場合、すなわち各受信部により受信された信号の品質が劣化している場合にはダイバーシティ受信処理のみを実行するように指示する信号を動作制御部６００に出力する。
【００８６】
（ダイバーシティ受信装置の動作）
次に、ダイバーシティ受信装置１００の動作２について説明する。図８は、ダイバーシティ受信装置１００の動作２を示す図である。
【００８７】
図８に示すように、Ｓ２０１において、ダイバーシティ受信装置１００は、ダイバーシティ処理部４００により出力された信号の劣化の度合を示す品質値を所定期間毎に算出する。
【００８８】
Ｓ２０３において、ダイバーシティ受信装置１００は、品質値が時間的に連続して閾値を超えていないことを上記所定期間毎に計数する（カウンタ更新処理）。
【００８９】
ここで、図９は、本実施形態におけるカウンタ更新処理を示す図である。図９に示すように、Ｓ２０３−１において、ダイバーシティ受信装置１００は、所定期間において品質値が閾値を超えていない場合には、カウンタの値に１を加算（カウンタ値１）し、Ｓ２０３−３の処理に移る。また、ダイバーシティ受信装置１００は、所定期間において品質値が閾値を超えている場合には、現在の処理に止まる。
【００９０】
なお、図９に示すように、Ｓ２０３−１乃至Ｓ２０３−Ｎ２までの各処理において、「ダイバーシティ受信処理」又は「シングル受信処理」のいずれかが示されているが、このことは後述するＳ２０７又はＳ２０９で実行されることを示している。
【００９１】
Ｓ２０３−３において、ダイバーシティ受信装置１００は、次の所定期間において品質値が時間的に連続して閾値を超えていない場合には、カウンタの値に１を加算（カウンタ値２）し、Ｓ２０３−５の処理に移る。また、ダイバーシティ受信装置１００は、当該次の所定期間において品質値が閾値を超えている場合には、Ｓ２０３−１の処理に戻る。
【００９２】
Ｓ２０３−５乃至Ｓ２０３−Ｎ１の前まではダイバーシティ受信装置１００は、上記Ｓ２０３−３と同様の処理を実行する。
【００９３】
Ｓ２０３−Ｎ１において、ダイバーシティ受信装置１００は、品質値が時間的に連続して閾値を超えていない場合には、カウンタの値に１を加算（ここではカウンタ値６）し、Ｓ２０３−Ｎ２の処理に移る。また、ダイバーシティ受信装置１００は、品質値が閾値を超えている場合にはＳ２０３−１の処理に戻る。
【００９４】
Ｓ２０３−Ｎ２において、ダイバーシティ受信装置１００は、品質値が時間的に連続して閾値を超えていない場合には現在の処理に止まる。また、ダイバーシティ受信装置１００は、品質値が閾値を超えている場合にはＳ２０３−１の処理に戻る。
【００９５】
上記図８の処理に戻り、Ｓ２０５において、ダイバーシティ受信装置１００は、Ｓ２０３により更新されたカウンタの値が閾値（ここでは６）を超えているか否か判定する。また、ダイバーシティ受信装置１００は、この判定がＹＥＳである場合にはＳ２０７の処理に移り、ＮＯである場合にはＳ２０９の処理に移る。
【００９６】
Ｓ２０７において、ダイバーシティ受信装置１００は、第１受信部２００又は第２受信部３００のいずれかの受信部を動作させて、シングル受信処理を実行する。
【００９７】
Ｓ２０９において、ダイバーシティ受信装置１００は、第１受信部２００及び第２受信部３００の双方を動作させて、第１受信部２００及び第２受信部３００を用いてダイバーシティ受信処理を実行する。
【００９８】
（作用及び効果）
本実施形態の特徴によれば、第１受信部２００及び第２受信部３００の全てを用いたダイバーシティ受信処理を実行させずに、いずれか１つの受信部のみを用いたシングル受信処理を実行させることができる。
【００９９】
このため、ダイバーシティ受信処理が実行されている場合には、第１受信部２００及び第２受信部３００の全てが動作しているものの、ダイバーシティ受信処理が実行されずにシングル受信処理が実行されている場合には、いずれか１つの受信部のみが動作し、それ以外の受信部が動作していないこととなる。
【０１００】
したがって、シングル受信処理が実行されている間は、ダイバーシティ受信処理が実行されている場合よりも、ダイバーシティ受信装置１００全体の消費電力を低く抑えることができる。
【０１０１】
また、シングル受信処理又はダイバーシティ受信処理のいずれか一方の処理を品質値に基づいて実行することにより、両処理のうちのいずれか一方の処理を任意に選択するより受信状態が良好な受信部からの信号を適切に出力することができる。
【０１０２】
さらに、ダイバーシティ受信装置１００により出力される信号の品質値が時間的に連続して閾値を超えていないことを所定期間毎に計数し、その計数した値が閾値以上である場合、すなわち、ダイバーシティ受信装置１００により出力される品質値が継続して良好に保持されている場合には、第１受信部２００及び第２受信部３００の全てが良好な受信状態である可能性が高い。
【０１０３】
この場合には、第１受信部２００及び第２受信部３００を用いたダイバーシティ受信処理を敢えて実行させずに、いずれか一方の受信部のみを用いたシングル受信処理のみを受信することにより、当該一方の受信部からの適切な信号を出力することができる。また、シングル受信処理により当該一方の受信部以外の受信部を動作させないため、ダイバーシティ受信装置１００全体の消費電力を低く抑えることができる。
【０１０４】
［第３実施形態］
（ダイバーシティ受信装置の構成）
本実施形態におけるダイバーシティ受信装置について図面を参照しながら説明する。図１０は、本実施形態におけるダイバーシティ受信装置１００を示す図である。図１０に示すように、ダイバーシティ受信装置１００は、第１実施形態の構成に加えて、表示部９１０と、入力部９２０とを備えている。なお、表示部９１０及び入力部９２０以外の構成については第１実施形態と同様であるため、詳細な説明は省略する。
【０１０５】
ここで、第１実施形態及び第２実施形態では、ダイバーシティ受信装置１００は、品質値に基づいてダイバーシティ受信処理又はシングル受信処理のいずれか一方の処理を実行している。これに対し、第２実施形態では、ダイバーシティ受信装置１００は、利用者からの入力操作に基づいてダイバーシティ受信処理又はシングル受信処理のいずれか一方の処理を実行している。以下、第３実施形態について詳細に説明する。
【０１０６】
動作指示部５００は、ずれ異常数算出部２１９，３１９又は制御量算出部２２１，３２１により算出された全ての品質値が閾値を超えている場合には第１情報を選択可能に表示するように指示する信号を表示部９１０に出力する。ここでは第１情報は、ダイバーシティ受信処理のみの実行を推奨することに関する情報である。
【０１０７】
また、動作指示部５００は、ずれ異常数算出部２１９，３１９又は制御量算出部２２１，３２１により算出されたいずれかの品質値が閾値を超えていない場合には第２情報を選択可能に表示するように指示する信号を表示部９１０に出力する。ここでは第２情報は、シングル受信処理のみの実行を推奨することに関する情報である。
【０１０８】
動作制御部６００は、入力部９２０を介して、表示部９１０により表示された第１情報が選択された場合には、ダイバーシティ受信処理のみを第１受信部２００、第２受信部３００及びダイバーシティ処理部４００に実行させる。
【０１０９】
また、動作制御部６００は、入力部９２０を介して、表示部９１０により表示された第２情報が選択された場合には、シングル受信処理のみを、第１受信部２００又は第２受信部３００のうちのいずれか一方の受信部、及びダイバーシティ処理部４００に実行させる。
【０１１０】
（ダイバーシティ受信装置の動作）
次に、ダイバーシティ受信装置１００の動作３について説明する。図１１は、ダイバーシティ受信装置１００の動作３を示す図である。
【０１１１】
図１１に示すように、Ｓ３０１において、ダイバーシティ受信装置１００は、第１受信部２００及び第２受信部３００により受信された信号の劣化の度合を示す品質値を算出する。なお、ダイバーシティ受信装置１００は、上述の通り、ずれ異常数算出部２１９，３１９又は制御量算出部２２１，３２１に当該品質値を算出させる。
【０１１２】
Ｓ３０３において、ダイバーシティ受信装置１００は、第１受信部２００の品質値が閾値を超えているか否か判定する。また、ダイバーシティ受信装置１００は、この判定がＹＥＳである場合にはＳ３０５の処理に移り、ＮＯである場合にはＳ３０９の処理に移る。  Ｓ３０５において、ダイバーシティ受信装置１００は、第２受信部３００の品質値が閾値を超えているか否か判定する。また、ダイバーシティ受信装置１００は、この判定がＹＥＳである場合にはＳ３０７の処理に移り、ＮＯである場合にはＳ３１５の処理に移る。
【０１１３】
Ｓ３０７において、ダイバーシティ受信装置１００は、ダイバーシティ受信処理のみの実行を推奨することに関する情報を示す第１情報を表示する。ここで、図１２は、表示部９１０により表示された第１情報９１１ａを示す図である。図１２に示すように、第１情報には、例えば「現在はダイバーシティ受信処理を推奨します」８１１ａ，「ダイバーシティ受信処理を選択しますか？  ＹＥＳ ＮＯ」８１２ａが含まれている。
【０１１４】
Ｓ３０９において、ダイバーシティ受信装置１００は、第２受信部３００の品質値が閾値を超えているか否か判定する。また、ダイバーシティ受信装置１００は、この判定がＹＥＳである場合にはＳ３１１の処理に移り、ＮＯである場合にはＳ３１３の処理に移る。
【０１１５】
Ｓ３１１において、ダイバーシティ受信装置１００は、第１受信部２００を用いたシングル受信処理のみの実行を推奨することに関する情報を示す第２情報を表示する。ここで、図１２に示すように、例えば「現在はシングル受信処理を推奨します」（図示せず），「第１受信部を用いたシングル受信処理を選択しますか？  ＹＥＳ ＮＯ」８１３ａが含まれている。
【０１１６】
Ｓ３１３において、ダイバーシティ受信装置１００は、第１受信部２００の品質値が第２受信部３００の品質値よりも高いか否か判定する。また、ダイバーシティ受信装置１００は、この判定がＹＥＳである場合にはＳ３１５の処理に移り、ＮＯである場合にはＳ３１１の処理に移る。
【０１１７】
Ｓ３１５において、ダイバーシティ受信装置１００は、第２受信部３００を用いたシングル受信処理のみの実行を推奨することに関する情報を示す第２情報を表示する。ここで、図１２に示すように、例えば「現在はシングル受信処理を推奨します」（図示せず），「第２受信部を用いたシングル受信処理を選択しますか？  ＹＥＳ ＮＯ」８１４ａが含まれている。
【０１１８】
Ｓ３１７において、ダイバーシティ受信装置１００は、第１受信部２００を用いたシングル受信処理を指定する操作がされたか否か判定する。また、ダイバーシティ受信装置１００は、この判定がＹＥＳである場合（図１２に示す８１３ａにおける「ＹＥＳ」が選択された場合）にはＳ３１９の処理に移り、ＮＯである場合にはＳ３２１の処理に移る。
【０１１９】
Ｓ３１９において、ダイバーシティ受信装置１００は、第１受信部２００を用いてシングル受信処理のみを実行する。
【０１２０】
Ｓ３２１において、ダイバーシティ受信装置１００は、第２受信部３００を用いたシングル受信処理を指定する操作がされたか否か判定する。また、ダイバーシティ受信装置１００は、この判定がＹＥＳである場合（図１２に示す８１４ａにおける「ＹＥＳ」が選択された場合）にはＳ３２３の処理に移り、ＮＯである場合（図１２に示す８１２ａにおける「ＹＥＳ」が選択された場合）にはＳ３２５の処理に移る。
【０１２１】
Ｓ３２３において、ダイバーシティ受信装置１００は、第２受信部３００を用いてシングル受信処理のみを実行する。
【０１２２】
Ｓ３２５において、ダイバーシティ受信装置１００は、第１受信部２００及び第２受信部３００を用いてダイバーシティ受信処理のみを実行する。
【０１２３】
なお、図１３は、本実施形態の変更例を示す図である。本実施形態では、第１受信部２００及び第２受信部３００におけるずれ異常数算出部又は制御量算出部により算出された品質値が用いられているが、これに限定されずに、上記品質算出部７００により算出された品質値が用いられてもよい。
【０１２４】
この場合には、ダイバーシティ受信装置１００は、品質算出部７００により算出された品質値が閾値を超えている場合には上記第１情報を選択可能に表示し、品質算出部７００により算出された品質値が閾値を超えていない場合には上記第２情報を選択可能に表示する。そして、ダイバーシティ受信装置１００は、第１情報が選択された場合にはダイバーシティ受信処理のみを実行し、第２情報が選択された場合にはシングル受信処理のみを実行する。
【０１２５】
なお、本実施形態では、第１情報は、ダイバーシティ受信処理のみを推奨することに関する情報であると説明したが、これに限定されずに、第１情報は、第１受信部２００及び第２受信部３００により受信された信号の品質が劣化していることに関する情報（例えば、図１４に示す８１１ｂ，８１２ｂ，８１３ｂ）であってもよい。
【０１２６】
また、第２情報は、シングル受信処理のみを推奨することに関する情報であると説明したが、これに限定されずに、第２情報は、第１受信部２００又は第２受信部３００のいずれかの受信部により受信された信号の品質が劣化していないことに関する情報（例えば、図１４に示す８１１ｂ，８１２ｂ，８１４ｂ，８１５ｂ）であってもよい。
【０１２７】
（作用及び効果）
本実施形態の特徴によれば、第１情報が選択されることによりダイバーシティ受信処理のみを実行させ、第２情報が選択されることによりシングル受信処理のみを実行させることができる。これにより、ダイバーシティ受信装置１００の利用者は、第１情報又は第２情報を参照し、現在の状況に最も適したいずれか一方の処理を選択することができる。
【０１２８】
すなわち、現在の状況においてダイバーシティ受信装置１００の充電量が多量にあり、ダイバーシティ受信処理を実行して最も受信状態が良好な受信部からの信号に対応する音声を聞きたい場合には、利用者は、第１情報を参照してダイバーシティ受信処理を選択することができる。
【０１２９】
一方、現在の状況においてダイバーシティ受信装置１００の充電量が少量である場合には、利用者は、少しでもダイバーシティ受信装置１００の使用時間を継続させるために、第２情報を参照して消費電力の少ないシングル受信処理を選択することができる。
【０１３０】
［第４実施形態］
（ダイバーシティ受信装置の構成）
本実施形態におけるダイバーシティ受信装置について図面を参照しながら説明する。図１５は、本実施形態におけるダイバーシティ受信装置１００を示す図である。図１５に示すように、ダイバーシティ受信装置１００は、第１実施形態の構成に加えて、イヤホン型アンテナ２０１と、接続部２０２と、音出力制御部２２３と、接続検出部９００とを備えている。なお、イヤホン型アンテナ２０１、接続部２０２、音出力制御部２２３及び接続検出部９００以外の構成については第１実施形態と同様であるため、詳細な説明は省略する。
【０１３１】
イヤホン型アンテナ２０１は、ダイバーシティ受信装置１００の利用者の耳に装着可能に構成されているとともに、音が出力可能に構成されている。本実施形態におけるイヤホン型アンテナ２０１は、第１受信部２００に対して着脱可能である。
【０１３２】
接続部２０２は、イヤホン型アンテナ２０１のコネクタ２０１ａを挿入可能に構成されている。接続部２０２は、イヤホン型アンテナ２０１のコネクタ２０１ａが挿入されることにより、イヤホン型アンテナ２０１と、チューナ２０３、音出力制御部２２３及び接続検出部９００とを電気的に接続する。
【０１３３】
音出力制御部２２３は、音声、音楽などの音に関する音データを記憶している媒体（図示せず）から該当する音データを読み込み、読み込んだ音データを増幅などをした後にイヤホン型アンテナ２０１に出力する。
【０１３４】
接続検出部９００は、イヤホン型アンテナ２０１のコネクタ２０１ａが接続部２０２に挿入されたことを検出する。
【０１３５】
動作指示部５００は、イヤホン型アンテナ２０１が接続されている場合には、ダイバーシティ受信処理のみを実行するように指示する信号を動作制御部６００に出力する。また、動作指示部５００は、イヤホン型アンテナ２０１が接続されていない場合には、第２受信部３００を用いてシングル受信処理のみを実行するように指示する信号を動作制御部６００に出力する。
【０１３６】
本実施形態におけるシングル受信処理は、イヤホン型アンテナ２０１が着脱可能な第１受信部２００以外の少なくとも１つの第２受信部３００のみを動作させて該第２受信部３００により受信された信号を選択して出力する処理である。
【０１３７】
（ダイバーシティ受信装置の動作）
次に、ダイバーシティ受信装置１００の動作４について説明する。図１６は、ダイバーシティ受信装置１００の動作４を示す図である。
【０１３８】
図１６に示すように、Ｓ５０１において、ダイバーシティ受信装置１００は、イヤホン型アンテナ２０１が接続部２０２に接続されているか否か判定する。
【０１３９】
Ｓ５０３において、ダイバーシティ受信装置１００は、イヤホン型アンテナ２０１が接続部２０２に接続されている場合にはＳ５０５の処理に移り、イヤホン型アンテナ２０１が接続部２０２に接続されていない場合にはＳ５０７の処理に移る。
【０１４０】
Ｓ５０５において、ダイバーシティ受信装置１００は、第１受信部２００及び第２受信部３００を用いてダイバーシティ受信処理を実行する。
【０１４１】
Ｓ５０７において、ダイバーシティ受信装置１００は、第２受信部３００を用いてダイバーシティ受信処理を実行する。
【０１４２】
なお、動作指示部５００は、イヤホン型アンテナ２０１が接続されている場合に、第１受信部２００の品質値及び第２受信部３００の品質値の双方が閾値を超えている場合には、ダイバーシティ受信処理のみを実行するように指示する信号を動作制御部６００に出力してもよい。この処理は図６及び図１６に示す流れと略等価であるため、詳細な説明は省略する。
【０１４３】
さらに、動作指示部５００は、第１受信部２００の品質値又は第２受信部３００の品質値のいずれか一方が閾値を超えていない場合には、閾値を超えていない品質値を算出した受信部により出力された信号を選択して出力するシングル受信処理を実行してもよい。この処理は図６及び図１６に示す流れと略等価であるため、詳細な説明は省略する。
【０１４４】
また、動作指示部５００は、イヤホン型アンテナ２０１が接続されている場合に、ダイバーシティ処理部４００により出力された信号の品質値が閾値を超えている場合には、ダイバーシティ受信処理のみを実行するように指示する信号を動作制御部６００に出力してもよい。この処理は図８及び図１６に示す流れと略等価であるため、詳細な説明は省略する。
【０１４５】
（作用及び効果）
本実施形態の特徴によれば、イヤホン型アンテナ２０１が接続されている場合には、第１受信部２００及び第２受信部３００の全てを用いたダイバーシティ受信処理のみを実行させることができる。一方、イヤホン型アンテナ２０１が接続されていない場合には、該イヤホン型アンテナ２０１が接続可能な第１受信部２００以外の第２受信部３００を用いたシングル受信処理のみを処理実行させることができる。
【０１４６】
このため、イヤホン型アンテナ２０１が接続されていない場合には、該イヤホン型アンテナ２０１が接続可能な第１受信部２００を動作させないため、該第１受信部２００により正確に受信されていない信号が混入されず、該正確に受信されていない信号が第２受信部３００により出力される信号に悪影響を及ぼさないようにすることができる。これにより、イヤホン型アンテナ２０１が接続可能な第１受信部２００以外の第２受信部３００からの適切な信号を出力することができる。
【０１４７】
また、イヤホン型アンテナ２０１が接続されていない場合には、イヤホン型アンテナ２０１が接続可能な第１受信部２００を動作させないため、その第１受信部２００での消費電力分を低減させることができる。
【０１４８】
なお、本発明は、ＯＦＤＭ（Orthogonal Frequency Division Multiplexing；直交周波数分割多重）方式が適用される地上波ディジタル放送で用いられている信号を受信するダイバーシティ受信装置にのみ適用されるのではなく、当該地上波ディジタル放送以外で用いられている信号を受信するダイバーシティ受信装置にも当然に適用することができる。
【０１４９】
以上、本発明の一例を説明したが、具体例を例示したに過ぎず、特に本発明を限定するものではなく、各部の具体的構成等は、適宜設計変更可能である。また、各実施形態の構成及び各変更例の構成はそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１５０】
【図１】第１実施形態におけるダイバーシティ受信装置を示す図である。
【図２】第１実施形態における第１受信部及び第２受信部の内部構造を示す図である。
【図３】第１実施形態における多値変調方式に従う複素平面を示す図である。
【図４】第１実施形態における多値変調方式に従う複素平面を示す図である。
【図５】第１実施形態における多値変調方式に従う複素平面を示す図である。
【図６】第１実施形態におけるダイバーシティ受信装置の動作を示す図である。
【図７】第２実施形態におけるダイバーシティ受信装置を示す図である。
【図８】第２実施形態におけるダイバーシティ受信装置の動作を示す図である。
【図９】第２実施形態におけるカウンタ更新装置の動作を示す図である。
【図１０】第３実施形態におけるダイバーシティ受信装置を示す図である。
【図１１】第３実施形態におけるダイバーシティ受信装置の動作を示す図である。
【図１２】第３実施形態における表示内容を示す図である。
【図１３】第３実施形態におけるダイバーシティ受信装置の別の例を示す図である。
【図１４】第３実施形態における表示内容の別の例を示す図である。
【図１５】第４実施形態におけるダイバーシティ受信装置を示す図である。
【図１６】第４実施形態におけるダイバーシティ受信装置の動作を示す図である。
【符号の説明】
【０１５１】
１００…ダイバーシティ受信装置、２００…第１受信部、２０１…アンテナ、２０２…接続部、２０３…チューナ、２０５…ＡＧＣ部、２０７…Ａ／Ｄ変換部、２０９…同期部、２１１…ＦＦＴ部、２１３…制御量算出部、２１３…復調部、２１５…基準点特定部、２１７…検出部、２１９…異常数算出部、２２１…制御量算出部、２２３…音出力制御部、３００…第２受信部、４００…ダイバーシティ処理部、５００…動作指示部、６００…動作制御部、７００…品質算出部、９００…接続検出部、９１０…表示部、９２０…入力部
【図１】
2006270219.tif 000003
【図２】
2006270219.tif 000004
【図３】
2006270219.tif 000005
【図４】
2006270219.tif 000006
【図５】
2006270219.tif 000007
【図６】
2006270219.tif 000008
【図７】
2006270219.tif 000009
【図８】
2006270219.tif 000010
【図９】
2006270219.tif 000011
【図１０】
2006270219.tif 000012
【図１１】
2006270219.tif 000013
【図１２】
2006270219.tif 000014
【図１３】
2006270219.tif 000015
【図１４】
2006270219.tif 000016
【図１５】
2006270219.tif 000017
【図１６】
2006270219.tif 000018